(57)【要約】【課題】害虫の駆除確率をより高めることが可能となり、害虫による果樹、野菜、作物への被害を抑制することができる捕虫器を提供する。【解決手段】本発明に係る捕虫器１００は、虫を誘引する光を発する誘引光源２１０と、前記誘引光源の鉛直下方に配され、鉛直下方に向かって開口径が絞られるすり鉢状部１６０と、前記すり鉢状部１６０の鉛直下方に配され、前記すり鉢状部１６０から延在する円筒部１７０と、前記すり鉢状部１６０の開口から前記円筒部１７０内に吸引する気流を発生させるファン１９０と、前記円筒部１７０の鉛直下方に配され、光を透過する透明長尺円筒部１８０と、前記透明長尺円筒部１８０の鉛直下方に配され、虫を捕獲する捕獲ネット３１０と、からなることを特徴とする。【選択図】図１
2020182397.tif 000002
【特許請求の範囲】
【請求項１】
虫を誘引する光を発する誘引光源と、
前記誘引光源の鉛直下方に配され、鉛直下方に向かって開口径が絞られるすり鉢状部と、
前記すり鉢状部の鉛直下方に配され、前記すり鉢状部から延在する円筒部と、
前記すり鉢状部の開口から前記円筒部内に吸引する気流を発生させるファンと、
前記円筒部の鉛直下方に配され、光を透過する透明長尺円筒部と、
前記透明長尺円筒部の鉛直下方に配され、虫を捕獲するネットと、からなることを特徴とする捕虫器。
【請求項２】
前記すり鉢状部の近傍に虫を誘引する誘引剤を配することを特徴とする請求項１に記載の捕虫器。
【請求項３】
前記透明長尺円筒部には、粘着剤が塗布されることを特徴とする請求項１又は請求項２に記載の捕虫器。
【請求項４】
前記透明長尺円筒部の外周を囲むように、円筒状の保護網が配されることを特徴とする請求項１乃至請求項３のいずれか１項に記載の捕虫器。
【請求項５】
前記保護網には、粘着シートが前記保護網の外側又は内側に配されることを特徴とする請求項４に記載の捕虫器。
【請求項６】
前記誘引光源が５００ｎｍ以上７５０ｎｍ以下の放射波長域を有し、５４０ｎｍ以上６３０ｎｍ以下の範囲で最大放射ピーク波長を有することを特徴とする請求項１乃至請求項５のいずれか１項に記載の捕虫器。
【請求項７】
放射波長が５６５ｎｍ付近に最大放射ピークを有する補助光源をさらに有することを特徴とする請求項６に記載の捕虫器。
【請求項８】
前記誘引光源が３００ｎｍ以上５００ｎｍ以下の放射波長域を有し、３４０ｎｍ以上４５０ｎｍｎｍ以下の範囲で最大放射ピーク波長を有することを特徴とする請求項１乃至請求項５のいずれか１項に記載の捕虫器。
【請求項９】
放射波長が３４０ｎｍ以上４５０ｎｍ以下に最大放射ピーク波長を有する補助光源をさらに有することを特徴とする請求項８に記載の捕虫器。
【請求項１０】
放射波長が５４０ｎｍ以上６３０ｎｍ以下に最大放射ピーク波長を有する補助光源をさらに有することを特徴とする請求項８又は請求項９に記載の捕虫器。
【発明の詳細な説明】
【技術分野】
【０００１】
本発明は、農園において害虫による栽培作物の食害を減らすために、これを駆除する捕虫器に関する。
【背景技術】
【０００２】
イチゴや、モモなどの果樹が栽培される果樹園、或いは、ホウレンソウ、菊などの農作物が栽培される農園においては、害虫による果樹、作物の食害を減らすために、これを駆除する必要がある。
【０００３】
そこで、例えば青色蛍光灯を用いた誘引光源で害虫を誘引し、それを電気刺激で殺虫したり、送風機で吸引し、捕獲したりする方法が提案されている。
【０００４】
例えば、特許文献１（特開２００５−２２９９９７号公報）には、図１に関連して、誘引光源２と反射板４、５、更に電動機６とファン７と白色捕虫網８などからなる飛翔手段さらに殺傷捕獲手段で構成された捕虫器が開示されている。このような捕虫器においては、光源２の光で誘引されてきた昆虫を反射板４、５で滑落させるとともにその下にある送風機６、７で吸引、殺傷して捕獲網８に落とすようにする。
【特許文献１】特開２００５−２２９９９７号公報
【発明の概要】
【発明が解決しようとする課題】
【０００５】
従来の捕虫器においては、反射板５の下方側のエリアに誘引光源２からの光が届かず、当該エリアにいる害虫が誘引光源２によって誘引されて、捕獲・駆除される確率が非常に少なくなる、という問題があった。
【０００６】
従来の捕虫器では、捕獲されなかった害虫はごく僅かであったとしても、害虫の種類によっては繁殖スピードが非常に早く、時間経過と共に指数関数的に増加するものも多いので、わずかな駆除確率の低下も、果樹、野菜、作物の被害への影響は大きくなり、問題であった。
【０００７】
また、背の高い農作物においては、根本のあたりに冷たい空気が滞留することによって、病気の発生率が高まると共に、根本付近では結実しにくく生産量が低下する、という問題があるが、従来の捕虫器はこのような問題を解決するものではなかった。
【課題を解決するための手段】
【０００８】
本発明は、上記のような問題を解決するものであって、本発明に係る捕虫器は、虫を誘引する光を発する誘引光源と、前記誘引光源の鉛直下方に配され、鉛直下方に向かって開口径が絞られるすり鉢状部と、前記すり鉢状部の鉛直下方に配され、前記すり鉢状部から延在する円筒部と、前記すり鉢状部の開口から前記円筒部内に吸引する気流を発生させるファンと、前記円筒部の鉛直下方に配され、光を透過する透明長尺円筒部と、前記透明長尺円筒部の鉛直下方に配され、虫を捕獲するネットと、からなることを特徴とする。
【０００９】
また、本発明に係る捕虫器は、前記すり鉢状部の近傍に虫を誘引する誘引剤を配することを特徴とする。
【００１０】
また、本発明に係る捕虫器は、前記透明長尺円筒部には、粘着剤が塗布されることを特徴とする。
【００１１】
また、本発明に係る捕虫器は、前記透明長尺円筒部の外周を囲むように、円筒状の保護網が配されることを特徴とする。
【００１２】
また、本発明に係る捕虫器は、前記保護網には、粘着シートが前記保護網の外側又は内側に配されることを特徴とする。
【００１３】
また、本発明に係る捕虫器は、前記誘引光源が５００ｎｍ以上７５０ｎｍ以下の放射波長域を有し、５４０ｎｍ以上６３０ｎｍ以下の範囲で最大放射ピーク波長を有することを特徴とする。
【００１４】
また、本発明に係る捕虫器は、放射波長が５６５ｎｍ付近に最大放射ピークを有する補助光源をさらに有することを特徴とする。
【００１５】
また、本発明に係る捕虫器は、前記誘引光源が３００ｎｍ以上５００ｎｍ以下の放射波長域を有し、３４０ｎｍ以上４５０ｎｍｎｍ以下の範囲で最大放射ピーク波長を有することを特徴とする。
【００１６】
また、本発明に係る捕虫器は、放射波長が３４０ｎｍ以上４５０ｎｍ以下に最大放射ピーク波長を有する補助光源をさらに有することを特徴とする。
【００１７】
また、本発明に係る捕虫器は、放射波長が５４０ｎｍ以上６３０ｎｍ以下に最大放射ピーク波長を有する補助光源をさらに有することを特徴とする。
【発明の効果】
【００１８】
本発明に係る捕虫器は、円筒部の鉛直下方に、光を透過する透明長尺円筒部を有しており、このような本発明に係る捕虫器によれば、透明長尺円筒部を介して下方側のエリアにも、誘引光源からの光が到達するので、当該エリアにいる害虫が前記誘引光源によって誘引されて、捕獲・駆除されるので、害虫の駆除確率をより高めることが可能となり、害虫による果樹、野菜、作物への被害を抑制することができる。
【００１９】
さらに、本発明に係る捕虫器によれば、透明長尺円筒部から、農作物の根本のあたりに、暖かい空気を供給することでき、農作物の病気の発生率を低減できると共に、根本付近で結実させることができるようになり、作物の生産量を増加させることができる。
【図面の簡単な説明】
【００２０】
【図１】本発明の第１実施形態に係る捕虫器１００の概要を説明する図である。
【図２】本発明の第１実施形態に係る捕虫器１００による捕虫効果を説明する図である。
【図３】本発明の第１実施形態に係る捕虫器１００による空気循環効果を説明する図である。
【図４】本発明の第２実施形態に係る捕虫器１００を説明する図である。
【図５】本発明の第３実施形態に係る捕虫器１００を説明する図である。
【図６】本発明の第４実施形態に係る捕虫器１００を説明する図である。
【図７】本発明の第５実施形態に係る捕虫器１００の概要を説明する図である。
【図８】本発明の第６実施形態に係る捕虫器１００の概要を説明する図である。
【発明を実施するための形態】
【００２１】
以下、本発明の実施の形態を図面を参照しつつ説明する。図１は本発明の第１実施形態に係る捕虫器１００の概要を説明する図である。また、図２は本発明の第１実施形態に係る捕虫器１００による捕虫効果を説明する図である。
【００２２】
捕虫器１００は、例えば、吊下線１１０によりこれを吊り下げることで利用することが想定されるものである。捕虫器１００の主要構成は、吊下線１１０が通る仮想軸ＯＯ’を中心として、略対称な構成となっている。例えば、誘引光源２１０は略ドーナツ状の形態をなすものである。
【００２３】
吊下線１１０は、円錐状部１５０を吊り下げるようになっている。また、円錐状部１５０の上方の吊下線１１０には、化学物質配設部１３０が取り付けられている。
【００２４】
円錐状部１５０の周面の上側３箇所からは、固定金具１５１が該周面から延出するように設けられており、３つの固定金具１５１により誘引光源２１０が支持されるようになっている。
【００２５】
なお、円錐状部１５０の周面に設ける固定金具１５１の数は、上記のように３つに限定されるものではない。
【００２６】
上記の誘引光源２１０は、不図示の安定器により発光する蛍光管であり、所定の放射波長域を有している。なお、第１実施形態においては、誘引光源２１０として蛍光管を用いる例に基づいて説明を行うが、誘引光源としては、白熱電球、水銀灯、ナトリウム灯、ＬＥＤなどその他のものを用いることもできる。誘引光源２１０は発光すると、害虫を誘引する光源として機能する。
【００２７】
円錐状部１５０の底部における３箇所からは、不図示の支持棹が延出しており、これらの支持棹ですり鉢状部１６０と円錐状部１５０が連結されるようになっている。円錐状部１５０の底部とすり鉢状部１６０との間における、支持棹以外の空間は間隙となっており、この間隙から害虫を吸引したり、誘引光源２１０からの光が下方側に進入したりすることができるようになっている。すり鉢状部１６０の底部からは鉛直下方に円筒部１７０が延在している。
【００２８】
すり鉢状部１６０、円錐状部１５０、円筒部１７などは鉄やステンレスなどの材料を用いて構成する。さらに、これらの各部材には耐候性を有する塗料を塗膜することが好ましい。
【００２９】
また、円筒部１７０の下方側には、合成樹脂材料からなる透明長尺円筒部１８０が取り付けられている。すり鉢状部１６０と円錐状部１５０との間の隙間から、進入した誘引光源２１０からの光は、透明長尺円筒部１８０から照射光ｔとして、捕虫器１００の下方側を照射するようになっている。また、透明長尺円筒部１８０の鉛直下方には、捕獲ネット３１０が取り付けられている。捕獲ネット３１０ネットにより、吸引された害虫が捕獲・駆除される。
【００３０】
長さの異なる透明長尺円筒部１８０を準備しておき、作物の成長に併せて、長さの異なる透明長尺円筒部１８０に適宜変更することも好ましい実施態様である。
【００３１】
円筒部１７０内においては、不図示のモーターにより回転駆動するファン１９０が設けられている。上記のファン１９０が回転することで、円錐状部１５０とすり鉢状部１６０と間の間隙において、すり鉢状部１６０内の鉛直下方に吸引する気流を発生させる。
【００３２】
ファン１９０によって発生される、すり鉢状部１６０の開口から円筒部１７０内に吸引する気流によって、誘引光源２１０で誘引された害虫は、円筒部１７０、透明長尺円筒部１８０を介して捕獲ネット３１０へと導かれる。
【００３３】
誘引光源２１０が発光することで、誘引光源２１０の鉛直下方に配されている円錐状部１５０の斜線部が反射面として機能することによって、反射光ｒ1が形成されるようになっている。
【００３４】
また、誘引光源２１０が発光することで、誘引光源２１０の鉛直下方に配されているすり鉢状部１６０の内面部が反射面として機能することによって、反射光ｒ2が形成されるようになっている。
【００３５】
また、誘引光源２１０が発光することで、透明長尺円筒部１８０からの照射光ｔが形成されるようになっている。照射光ｔによりすり鉢状部１６０の下方のエリアにいる害虫も誘引光源によって誘引され、ファン１９０で発生する気流により吸引され捕獲される。
【００３６】
このように、本発明に係る捕虫器１００によれば、透明長尺円筒部１８０を介して下方側のエリアにも、誘引光源２１０からの光が到達するので、当該エリアにいる害虫が誘引光源２１０によって誘引されて、捕獲・駆除されるので、害虫の駆除確率をより高めることが可能となり、害虫による果樹、野菜、作物への被害を抑制することができるようになる。
【００３７】
また、照射光ｔは日照時間の増加と同様の作用を作物に与えるために、作物の生産量増加にも寄与し得るものである。
【００３８】
誘引光源２１０としては、５００ｎｍ以上７５０ｎｍ以下の放射波長域を有し、５４０ｎｍ以上６３０ｎｍ以下の波長域において最大放射ピーク波長域を形成するものを用いることができる。このような誘引光源２１０によれば、コナジラミ類、アザミウマ類、ハエ類、アブラムシ類を効率的に誘引することが可能となる。
【００３９】
このような分光特性を有する誘引光源２１０は、蛍光管（白色の蛍光灯；色温度４２００Ｋ）の管表面に塗膜を形成することにより、構成することができる。当該蛍光管の管表面の塗膜は光学フィルタとして機能し、５００ｎｍ付近より短波長の放射光を遮断し、それより長波長域の放射光を効率よく透過するようにしている。水酸基含有アクリル樹脂とベンズイミダゾロンの混合物、エポキシ樹脂、クリヤー、硬化剤（イソシアネート化合物）、シンナーの混合物が、蛍光管に塗布されることで、このような塗膜が形成される。
【００４０】
上記のような塗膜が施されてなる誘引光源２１０は、放射波長が５４５ｎｍ付近、及び、５７５ｎｍ付近の２つに局所的な放射ピークを有するものが特に好ましいが、誘引光源２１０は放射波長で５００ｎｍ付近から６５０ｎｍ付近に２つの局所的な放射ピークを有するものであってもよい。
【００４１】
また、誘引光源２１０としては、３００ｎｍ以上５００ｎｍ以下の放射波長域を有し、３４０ｎｍ以上４５０ｎｍ以下の波長域において最大放射ピーク波長域を形成するものも用いることができる。このような分光特性を有する誘引光源２１０としては、ブラックライト電球、ブラックライト蛍光灯、ブラックライトＬＥＤなどを用いることができる。このような誘引光源２１０によれば、アザミウマ類、ハエ類、夜蛾類、カメムシ類、ハムシ類を効率的に誘引することが可能となる。
【００４２】
ここで、本明細書においては、例えば、ピーク波長などを、ピンポイント的に５４５ｎｍとして言及する場合は、その波長の±１５ｎｍ程度のずれも含まれるものとする。このように本明細書では、波長の範囲を、指定した波長とその波長の±１５ｎｍの範囲で規定するが、このように範囲をもって波長を規定する理由は、同じ種類の虫であっても、地域等による多様性があり、光源の波長に対する補虫効果には例えば地域差が発生するからである。
【００４３】
なお、第１実施形態においては、誘引光源２１０は略ドーナツ状の形態をなすものとして説明しているが、本発明に係る捕虫器１００においては、光源の形状がこれに限定されるものではない。
【００４４】
また、第１実施形態においては、誘引光源として、１種類の誘引光源２１０を設けるようにしているが、これより多くの種類の誘引光源を用いるようしてもよい。例えば、誘引光源２１０として、放射波長域が異なるものを２種類用いるようにすれば、前記誘引光源によって、誘引可能な害虫の種類が増え、害虫の駆除確率をより高めることが可能となり、害虫による果樹、野菜、作物への被害を抑制することができる。
【００４５】
また、捕獲ネット３１０の網目（の目合い）が０．１ｍｍ〜０．３ｍｍ程度のものを用いるのがよい。或いは、捕獲ネット３１０の網目（の目合い）が異なるものを二重にして用いるようにすることもできる。
【００４６】
例えば、捕獲ネット３１０としては、網目（の目合い）が０．１ｍｍ〜０．３ｍｍ程度のものと、網目（の目合い）が５ｍｍ程度のものを二重にすることも好適な実施形態である。比較的大型の昆虫が捕獲されてしまったような場合でも、目が粗い箇所が当該昆虫に食い破られ穴ができることはないので、捕獲した害虫が前記ネットから逃げてしまうことがなく、害虫の駆除確率をより高めることが可能となり、害虫による果樹、野菜、作物への被害を抑制することができる。
【００４７】
第１実施形態に係る捕虫器１００においては、吊下線１１０には、化学物質を取り付けることが可能な化学物質配設部１３０が設けられている。この化学物質配設部１３０に配する化学物質としては、害虫を誘引する、性フェロモン剤、集合フェロモン剤、乳酸菌分泌物などの誘引剤を用いることが好ましい。この場合、誘引光源２１０による害虫の誘引効果との相乗効果を期待することができる。
【００４８】
なお、化学物質配設部１３０を設ける箇所は必ずしも、吊下線１１０とする必要はなく、すり鉢状部１６０の近傍で、適正に害虫を誘引することができれば、どのような箇所でもよい。
【００４９】
一方、化学物質配設部１３０に配する化学物質としては、昆虫が忌避する忌避剤を用いることも可能である。この場合は、農園、果樹園に好ましくない昆虫類を寄せ付けないようにしつつも、作物に害を及ぼす害虫は誘引光源２１０による害虫の誘引効果に基づいて、捕獲・駆除することができるようになる。
【００５０】
第１実施形態においては、捕虫器１００を吊下線１１０により吊り下げて、仮想軸ＯＯ’が鉛直方向と平行となる設置形態で説明したが、果樹、野菜、作物の種類によっては、捕虫器１００の仮想軸ＯＯ’が水平面と平行となるように、捕虫器１００を設置する形態で利用することもできる。
【００５１】
ところで、背の高い農作物においては、根本のあたりに冷たい空気が滞留することによって、病気の発生率が高まると共に、根本付近では結実しにくく生産量が低下する、という問題がある。本発明に係る捕虫器１００は、すり鉢状部１６０で吸い込まれた温度の高い層の空気（Ｗ）が、ファン１９０によって、農作物の根本のあたりに供給される構成にもなっている。図３は本発明の第１実施形態に係る捕虫器１００による空気循環効果を説明する図である。
【００５２】
図３に示すような、背の高い農作物の根本にも、暖かい空気（Ｗ）を供給することできるようになるのは、第１実施形態で透明長尺円筒部１８０を用いたことに依るところが大きい。作物にもよるが、透明長尺円筒部１８０は１ｍ以上であることが好ましい。
【００５３】
本発明に係る捕虫器１００によれば、透明長尺円筒部１８０から、農作物の根本のあたりに、暖かい空気を供給することでき、農作物の病気の発生率を低減できると共に、根本付近で結実させることができるようになり、作物の生産量を増加させることができる。
【００５４】
次に、本発明の他の実施形態について説明する。図４は本発明の第２実施形態に係る捕虫器１００を説明する図である。図４（Ａ）は先の第１実施形態に係る捕虫器１００の透明長尺円筒部１８０近傍を示す図であり、図４（Ｂ）は本第２実施形態に係る捕虫器１００の透明長尺円筒部１８０近傍を示す図である。以下、他の実施形態の説明では、第１実施形態に係る捕虫器１００との相違点について主として説明する。なお、以下説明する種々の他の実施形態の特徴点は、本明細書に記載される捕虫器１００のどの実施形態とも組み合わせることができる。
【００５５】
第１実施形態に係る捕虫器１００の透明長尺円筒部１８０自体に対しては特段の工夫はされていなかったが、第２実施形態に係る捕虫器１００の透明長尺円筒部１８０においては、粘着剤２７０が塗布されてなる。
【００５６】
誘引光源２１０が発光することで、透明長尺円筒部１８０からの照射光ｔが形成されることは説明した。このような照射光ｔにより害虫が透明長尺円筒部１８０自体にとまることもしばしばある。そこで、第２実施形態に係る捕虫器１００においては、透明長尺円筒部１８０に粘着剤２７０を塗布し、透明長尺円筒部１８０自体で害虫を捕獲するようにしたものである。このような第２実施形態でも、捕獲ネット３１０においても害虫は捕獲されることが想定され、捕獲ネット３１０による捕獲分に加え、粘着剤２７０での捕獲分により、全体としての害虫捕獲数を向上させることができる。
【００５７】
次に、本発明の他の実施形態について説明する。図５は本発明の第３実施形態に係る捕虫器１００を説明する図である。先の第２実施形態に係る捕虫器１００では、透明長尺円筒部１８０の外囲部に粘着剤２７０が塗布されていたので、農作物の葉、或いは農作業者の髪の毛などが粘着剤２７０に引っ付いてしまう可能性があった。そこで、第３実施形態においては、透明長尺円筒部１８０の外周を囲むように、円筒状の保護網２８０を配するようにした。保護網２８０の固定手段としては、円筒部１７０や透明長尺円筒部１８０から延出されるアーム部材（不図示）などを用いることができる。また、このような保護網２８０の目合いとしては５ｍｍ〜１０ｃｍが好ましい。
【００５８】
このような実施形態によれば、捕獲ネット３１０による捕獲分に加え、粘着剤２７０での捕獲分により、全体としての害虫捕獲数を向上させることができると共に、農作物の葉、或いは農作業者の髪の毛などの引っ付きを防止することができる。
【００５９】
次に、本発明の他の実施形態について説明する。図６は本発明の第４実施形態に係る捕虫器１００を説明する図である。第２実施形態及び第３実施形態においては、透明長尺円筒部１８０の外囲部に粘着剤２７０を塗布するようにしていた。これに対して、第４実施形態に係る捕虫器１００では、透明長尺円筒部１８０の外周を囲むように、円筒状の保護網２８０を配するようにして、その保護網２８０に対して、粘着シート２８５を外側から巻き付けるように設けたことを特徴としている。このような実施形態によれば、照射光ｔにより誘引された害虫が粘着シート２８５で捕獲されると共に、このような粘着シート２８５を容易に交換することができる、というメリットがある。
【００６０】
一方、粘着シート２８５を保護網２８０の内側に配するようにすることもできる。そして、保護網２８０の内側の粘着シート２８５で害虫を捕獲する。この場合、粘着シート２８５の交換はしにくくはなるが、農作物の葉、或いは農作業者の髪の毛などが粘着シート２８５に引っ付いてしまう確率を低減することができる。
【００６１】
次に、本発明の他の実施形態について説明する。図７は本発明の第５実施形態に係る捕虫器１００の概要を説明する図である。
【００６２】
第５実施形態に係る捕虫器１００が、第１実施形態のものと相違する点は、光源として光源２００に加え、吊下線１１０の途中に補助光源２２０が配されている点である。なお、本実施形態では、補助光源２２０の下側に化学物質配設部１３０を設けるようにしているが、化学物質配設部１３０を補助光源２２０の上側に設けるようにしても構わない。或いは、化学物質配設部１３０を補助光源２２０の上側及び下側の両方にそれぞれ設けるようにしても構わない。
【００６３】
補助光源２２０は、第１実施形態で用いられていた光源２００とは種別が異なるものである。第１実施形態で用いられていた誘引光源２１０には、例えば、蛍光灯に所定の塗膜を施したものが用いられていた。一方、補助光源２２０にはＬＥＤ（Light  Emitting  Diode：発光ダイオード）素子が好適に用いられる。
【００６４】
また、補助光源２２０は例えば、吊下線１１０の途中に配することが好ましいが、このような補助光源２２０を配する態様はこれに限定されるものではない。補助光源２２０には複数個のＬＥＤ素子２２３が用いられる。一般的にＬＥＤ素子２２３から出射される光は指向性を有する。指向性があると効率的な害虫の誘引ができないために、ＬＥＤ素子２２３から出射された光を拡散するための光拡散手段として、透明な光拡散樹脂２３０が設けられている。本発明で用い得る光拡散手段は透明樹脂に限定されるものではなく、ガラスなどの導光材料も用いることができる。
【００６５】
誘引光源２１０として、５００ｎｍ以上７５０ｎｍ以下の放射波長域を有するものを用いるようにした場合、第５実施形態で用いる補助光源２２０は放射波長が５６５ｎｍ付近に最大放射ピークを有するものを用いることが好ましい。この場合、誘引光源２１０と補助光源２２０と、からなる光源により、特にコナジラミ類、アザミウマ類、アブラムシ類（有翅）、ハモグリバエ類、ハエ類をより効率的に誘引することができる。
【００６６】
一方、誘引光源２１０として、前記誘引光源が３００ｎｍ以上５００ｎｍ以下の放射波長域を有するものを用いるようにした場合、第５実施形態で用いる補助光源２２０は放射波長が３４０ｎｍ以上４５０ｎｍ以下に最大放射ピーク波長を有するものを用いることが好ましい。この場合、誘引光源２１０と補助光源２２０と、からなる光源により、特にアザミウマ類、ハエ類、夜蛾類、カメムシ類、ハムシ類をより効率的に誘引することができる。
【００６７】
ただし、補助光源２２０として、放射波長が３４０ｎｍ以上４５０ｎｍ以下に最大放射ピーク波長を有するものに代え、放射波長が５４０ｎｍ以上６３０ｎｍ以下に最大放射ピーク波長を有するものを用いるようにしてもよい。或いは、補助光源２２０として、双方の最大放射ピーク波長を有するものを用いることもできる。
【００６８】
以上のような第５実施形態に係る捕虫器１００によれば、主光源として機能する誘引光源２１０の効果に加え、補助光源２２０の効果により、害虫の捕獲数を向上させることができるものと期待することができる。
【００６９】
次に、本発明の他の実施形態について説明する。図８は本発明の第６実施形態に係る捕虫器１００の概要を説明する図である。
【００７０】
第５実施形態においては、補助光源２２０を吊下線１１０に配するようにしたが、第６実施形態においては、透明長尺円筒部１８０の下方端側に支持部材２４０を設け、この支持部材２４０に鉛直上方を照射する補助光源２２０を配するようにしている。ここで、誘引光源２１０と補助光源２２０のぞれぞれの分光特性は、第５実施形態で説明したものと同様とすることができる。
【００７１】
第６実施形態では、補助光源２２０によって下方側から透明長尺円筒部１８０を照射することとなるので、第６実施形態に係る捕虫器１００は、透明長尺円筒部１８０の外囲部に粘着剤２７０を塗布した実施形態や、保護網２８０に粘着シート２８５を配した実施形態と組み合わせるとより効果的に、害虫の捕獲を行うことができる。
【００７２】
以上、本発明に係る捕虫器は、円筒部の鉛直下方に、光を透過する透明長尺円筒部を有しており、このような本発明に係る捕虫器によれば、透明長尺円筒部を介して下方側のエリアにも、誘引光源からの光が到達するので、当該エリアにいる害虫が前記誘引光源によって誘引されて、捕獲・駆除されるので、害虫の駆除確率をより高めることが可能となり、害虫による果樹、野菜、作物への被害を抑制することができる。
【００７３】
さらに、本発明に係る捕虫器によれば、透明長尺円筒部から、農作物の根本のあたりに、暖かい空気を供給することでき、農作物の病気の発生率を低減できると共に、根本付近で結実させることができるようになり、作物の生産量を増加させることができる。
【符号の説明】
【００７４】
１００・・・捕虫器
１１０・・・吊下線
１３０・・・化学物質配設部
１５０・・・円錐状部
１５１・・・固定金具
１６０・・・すり鉢状部
１７０・・・円筒部
１８０・・・透明長尺円筒部
１９０・・・ファン
２１０・・・誘引光源
２２０・・・補助光源
２２３・・・ＬＥＤ素子
２３０・・・光拡散樹脂（光拡散手段）
２４０・・・支持部材
２７０・・・粘着剤
２８０・・・保護網
２８５・・・粘着シート
３１０・・・捕獲ネット
【図１】
2020182397.tif 000003
【図２】
2020182397.tif 000004
【図３】
2020182397.tif 000005
【図４】
2020182397.tif 000006
【図５】
2020182397.tif 000007
【図６】
2020182397.tif 000008
【図７】
2020182397.tif 000009
【図８】
2020182397.tif 000010